【事件の表示】
　商願２００３−４２６８５拒絶査定不服審判事件について、次のとおり審決する。
【結　論】
　本件審判の請求は、成り立たない。
【理　由】
１　本願商標
　本願商標は、「ＧｅｏＡｄａｐｔｅｒ」「ジオアダプター」の文字を上下二段に書してなり、第９類に属する願書記載の商品を指定商品として、平成１５年５月２６日に登録出願され、その後、指定商品については、当審において同１６年１月８日付け提出の手続補正書により、第９類「自動販売機，写真機械器具，映画機械器具，光学機械器具，電気通信機械器具，電子計算機用プログラム，その他の電子応用機械器具及びその部品，録画済みビデオディスク及びビデオテープ」と補正されたものである。
　
２　引用商標
　原査定は、本願商標を商標法第４条第１項第１１号に該当するとして本願の拒絶理由に引用した登録商標は、下記の（１）ないし（６）である。
 　　　　　　　　　　　　　　　　　記
（１）登録第１４０５３２６号商標は、昭和５０年６月２３日登録出願、「ジオ」の文字よりなり、第１１類「電気機械器具、電気通信機械器具、電子応用機械器具（医療機械器具に属するものを除く）電気材料 」を指定商品として、同５５年１月３１日に設定登録され、その後、平成２年２月１９日、同１１年９月２８日に商標権の存続期間の更新登録がなされ、現に有効に存続しているものである。
（２）登録第２５７６５７２号商標は、昭和６３年１０月１４日登録出願、「ＧＩＯ」の文字よりなり、第１０類「測定機械器具（電子応用機械器具に属するものおよび電気磁気測定器を除く）」を指定商品として、平成５年９月３０日に設定登録され、その後、平成１７年３月９日に商標権の存続期間の更新登録がなされ、現に有効に存続しているものである。
（３）登録第２５８２５５０号商標は、平成１年３月１８日登録出願、別掲のとおりの構成よりなり、第１１類「電気通信機械器具、その他本類に属する商品」を指定商品として、同５年９月３０日に設定登録され、その後、同１５年９月３０日に商標権の存続期間の更新登録がなされ、さらに、同１６年１月２１日に商標権の指定商品の書換登録がなされ、現に有効に存続しているものである。
（４）登録第４２６２９９４号商標は、平成９年４月１日登録出願、黒塗りの矩形図形内に白抜きで「ＧＥＯ」「ジオ」の文字を上下二段に書してなり、第６類「金属製包装用容器（「金属製栓・金属製ふた」を除く。），金属製栓，金属製ふた，金網，ワイヤロープ，金属製家庭用水槽，金属製工具箱，金属製貯金箱，金属製のきゃたつ及びはしご，金属製のネームプレート及び標札，金属製のタオル用ディスペンサー，金属製帽子掛けかぎ，金属製郵便受け，金属製のバックル，アイゼン」、第７類「印刷用又は製本用の機械器具，自動スタンプ打ち器」、第８類「手動工具（「すみつぼ類・皮砥・鋼砥・砥石」を除く。），すみつぼ類，砥石，手動利器（「刀剣」を除く。），かつお節削り器，角砂糖挟み，缶切，くるみ割り器（貴金属製のものを除く。），スプーン，フォーク，アイロン（電気式のものを除く。），糸通し器，チャコ削り器，水中ナイフ，五徳，火ばし，殺虫剤用噴霧器（手持ち工具に当たるものに限る。），ピンセット」、第９類「理化学機械器具，測定機械器具，写真機械器具，映画機械器具，光学機械器具，眼鏡，加工ガラス（建築用のものを除く。），レコード，メトロノーム，スロットマシン，自動車用シガーライター，金銭登録機，硬貨の計数用又は選別用の機械，写真複写機，手動計算機，製図用又は図案用の機械器具，タイムスタンプ，タイムレコーダー，電気計算機，ウエイトベルト，ウエットスーツ，浮袋，エアタンク，水泳用浮き板，家庭用テレビゲームおもちゃ」、第１２類「船舶並びにその部品及び附属品（「エアクッション艇」を除く。），自動車並びにその部品及び附属品，二輪自動車・自転車並びにそれらの部品及び附属品，乳母車，そり，車いす，タイヤ又はチューブの修繕用ゴムはり付け片」、第１５類「楽器，演奏補助品，音さ」、第１６類「紙製包装用容器，家庭用食品包装フィルム，紙製ごみ収集用袋，プラスチック製ごみ収集用袋，衛生手ふき，紙製タオル，紙製手ふき，紙製ハンカチ，型紙，裁縫用チャコ，紙製のぼり，紙製旗，荷札，かるた，歌がるた，トランプ，花札，事務用又は家庭用ののり及び接着剤，青写真複写機，あて名印刷機，印字用インクリボン，こんにゃく版複写機，自動印紙はり付け機，事務用電動式ホッチキス ，事務用封かん機，消印機，製図用具，タイプライター，チェックライター，謄写版，凸版複写機，文書細断機，郵便料金計器，輪転謄写機，装飾塗工用ブラシ，紙製簡易買物袋」、第２０類「木製の包装用容器（「コルク製栓・木製栓・木製ふた」を除く。），竹製の包装用容器，プラスチック製包装用葉，コルク製栓，プラスチック製栓，プラスチック製ふた，木製栓，木製ふた，うちわ，せんす，買物かご，家庭用水槽（金属製又は石製のものを除く。），きゃたつ及びはしご（金属製のものを除く。），工具箱（金属製のものを除く。），ししゅう用枠，植物の茎支持具，ストロー，盆（金属製のものを除く。），スリーピングバッグ，タオル用ディスペンサー（金属製のものを除く。），ネームプレート及び標札（金属製のものを除く。），旗ざお，ハンガーボード，帽子掛けかぎ（金属製のものを除く。），洋服飾り型類，郵便受け（金属製又は石製のものを除く。），揺りかご，幼児用歩行器，麦わら，竹��べっこう，さんご」、第２１類「ガラス基礎製品（建築用のものを除く。），なべ類，コーヒー沸かし（電気式又は貴金属製のものを除く。），鉄瓶，やかん，食器類（貴金属製のものを除く。），アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のも のを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，携帯用アイスボックス，米びつ，食品保存用ガラス瓶，水筒，魔法瓶，デンタルフロス，金ブラシ，洋服ブラシ，靴ブラシ，靴べら，靴磨き布，軽便靴クリーナー，シューツリー，ガラス製包装用容器（「ガラス製栓・ガラス製ふた」を除く。），陶磁製包装用容器，ガラス製ふた，アイロン台，霧吹き，こて台，へら台，植木鉢，家庭園芸用の水耕式植物栽培器，じょうろ，家庭用燃え殻ふるい，紙タオル取り出し用金属製箱，せっけん用ディスペンサー，トイレットペーパーホルダー，貯金箱（金属製のものを除く。），ねずみ取り器，はえたたき，ろうそく消し及びろうそく立て（貴金属製のものを除く。），コッフェル」、第２２類「網類（金属製又は石綿製のものを除く。），布製包装用容器，わら製包装用容器，ザイル，登山用又はキャンプ用のテント，おがくず，もみがら」、第２５類「ガーター，靴下止め，ズボンつり，バンド，ベルト，靴類（「靴合わせくぎ・靴くぎ・靴の引き手・靴びょう・靴保護金具」を除く。），靴合わせくぎ，靴くぎ，靴の引き手，靴びょう，靴保護金具，げた，草履類，仮装用衣服，運動用特殊衣服，運動用特殊靴（「乗馬靴」を除く。）」、第２７類「体操用マット」、第２８類「遊戯用器具，囲碁用具，将棋用具，さいころ，すごろく，ダイスカップ，ダイヤモンドゲーム，チェス用具，チェッカー用具，手品用具，ドミノ用具，マージャン用具，おもちゃ，人形，運動用具，スキーワックス，釣り具」、第３１類「あわ，きび，ごま，そば，とうもろこし，ひえ，麦，もろこし，コプラ，食用魚介類（生きているものに限る。），海藻類，獣類・魚類（食用のものを除く。）・鳥類及び昆虫類（生きているものに限る。），飼料，釣り用餌，果実，野菜（「茶の葉」を除く。），茶の葉，糖料作物，種子類，木，草，芝，ドライフラワー，苗，苗木，花，盆栽 」を指定商品として、同１１年４月１６日に設定登録され、その後、商標権の一部無効の審判請求（２００２年審判第３５０４９号）があった結果、指定商品中、第２１類「食器類（貴金属製のものを除く。），アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，金ブラシ，靴ブラシ，靴べら，靴磨き布，軽便靴クリーナー，シューツリー，アイロン台，霧吹き，こて台，へら台，ろうそく消し及びろうそく立て（貴金属製のものを除く。）」及び第２５類「ガーター，靴下止め，ズボンつり，バンド，ベルト，靴類（「靴合わせくぎ・靴くぎ・靴の引き手・靴びょう・靴保護金具」を除く。），靴合わせくぎ，靴くぎ，靴の引き手，靴びょう，靴保護金具，げた，草履類」」の商標登録を無効にする旨の審決がなされ、その確定の登録が同１５年１月１５日になされたものである。さらに、商標権の一部取消の審判請求（２００２年審判第３１１８９号）があった結果、指定商品中、第９類「眼鏡」の商標登録を取消す旨の審決がなされ、その確定の登録が同１５年５月１４日になされたものである。
（５）登録第４３４７０３８号商標は、平成１０年１０月６日登録出願、「Ｚｉｏ」の文字よりなり、第９類「電気通信機械器具，電子応用機械器具及びその部品 」を指定商品として、同１１年１２月２４日に設定登録され、現に有効に存続しているものである。
（６）登録第４５３０８９９号商標は、平成１２年８月１日登録出願、「ＧＥＯ」の文字よりなり、第９類「電池、電気磁気測定器、電線及びケーブル、電気通信機械器具、電子応用機械器具及びその部品」を指定商品として、同１３年１２月２１日に設定登録され、現に有効に存続しているものである。
（７）以下、上記６件の引用商標を一括して「引用商標」という。
　
３　当審の判断
　本願商標と引用商標との類否について判断するに、本願商標は、上記に示すとおりの構成よりなるところ、その構成文字中の「アダプター（Ａｄａｐｔｅｒ）」の文字は、「機能や規格の異なる機器を接合させるための補助器具」（「広辞苑」第５版　岩波書店　１９９８年）を意味する語であって、「英和コンピュータ用語大辞典」（１９９６年７月２２日　日外アソシエーツ株式会社発行）によれば、端末装置アダプタ（ｔｅｒｍｉｎａｌ　ａｄａｐｔｅｒ）、読取り装置アダプタ（ｒｅａｄｅｒ　ａｄａｐｔｅｒ）等のように「アダプタ」（ａｄａｐｔｅｒ）の語が品質を表示するものとして使用されている事実が認められるものである。
　そして、「ＧｅｏＡｄａｐｔｅｒ」の文字全体より自然な観念を生じて一体不可分のものとして認識されるとも認められないから、本願商標をその指定商品について使用した場合には、本願商標に接する取引者、需要者は、構成文字中の「Ａｄａｐｔｅｒ」の文字が商品の品質を表示しているものと理解し、構成文字中の「Ｇｅｏ」の文字部分に着目して、これより生ずる「ジオ」の称呼をもって取引にあたることも決して少なくないものとみるのが相当である。
　そうとすれば、本願商標は、その構成文字に相応して、「ジオアダプター」の一連の称呼を生ずるほか、「Ｇｅｏ」「ジオ」の文字部分に相応して、「ジオ」の称呼をも生ずるものといわなければならない。
　してみれば、本願商標は、「ジオ」の称呼を生ずること明らかな引用商標とは、「ジオ」の称呼を共通にする類似の商標であり、かつ、本願商標の指定商品は、引用商標の指定商品と同一又は類似する商品と認められるから、本願商標は、商標法第４条第１項第１１号に該当し、登録することができない。
　よって、結論のとおり審決する。